(57)【特許請求の範囲】
【請求項１】
正に帯電する帯電粒子を内包させた、負に帯電する複数のマイクロカプセルと、
前記帯電粒子の位置を制御するための電極と、
前記複数のマイクロカプセルの間に配置され、アクリル系樹脂から構成され、負に帯電するバインダーと、
を備えてなる電気泳動装置の製造方法であって、
ポリカチオン性材料であるゼラチンとポリアニオン性材料であるアラビアゴムとを混合した液体材料を用いて前記マイクロカプセルを形成する工程と、
前記マイクロカプセルと、前記バインダー又は前記バインダーの前駆体との混合物を基板上に塗布する工程と、
を含み、
前記マイクロカプセルを形成する工程において、前記液体材料の水素イオン濃度をｐＨ３．０〜ｐＨ４．５の範囲内とし、前記ポリカチオン性材料とポリアニオン性材料とを、組成比Ｘ（＝ポリカチオン性材料／ポリアニオン性材料）が０．２５≦Ｘ＜１．００の範囲内となるように混合することを特徴とする電気泳動装置の製造方法。
【請求項２】
請求項１に記載の電気泳動装置の製造方法において、
前記帯電粒子が酸化チタンとアルミニウム系カップリング材とを含むものであることを特徴とする電気泳動装置の製造方法。
【請求項３】
請求項１又は２に記載の電気泳動装置の製造方法において、
前記電極が、対向した一対の電極であることを特徴とする電気泳動装置の製造方法。
【請求項４】
請求項１乃至３のいずれか一項に記載の電気泳動装置の製造方法において、
前記マイクロカプセルがドデシルベンゼンからなる分散媒を含むことを特徴とする電気泳動装置の製造方法。
【請求項５】
請求項１乃至４のいずれか一項に記載の電気泳動装置の製造方法において、
前記マイクロカプセルが前記帯電粒子とは異なる色に着色された分散媒を含むことを特徴とする電気泳動装置の製造方法。
【請求項６】
請求項１乃至５のいずれか一項に記載の電気泳動装置の製造方法を用いて製造された電気泳動装置。
【請求項７】
請求項１乃至５のいずれか一項に記載の電気泳動装置の製造方法を用いて製造された電気泳動装置を含む表示体と、
前記表示体に駆動信号を供給する駆動回路と、
を備えたことを特徴とする電子機器。
【請求項８】
請求項７に記載の電子機器において、
前記駆動回路がマルチプレックス方式で駆動されるものであることを特徴とする電子機器。
【発明の詳細な説明】
【技術分野】
【０００１】
本発明は、電気泳動現象を利用した電気泳動装置の製造方法、電気泳動装置、電子機器に関する。
【背景技術】
【０００２】
電気泳動現象とは、本質的に正か負かのいずれかに帯電された帯電粒子と、この帯電粒子を分散させた分散媒との界面に発生する電気二重層を利用したものであって、帯電粒子が、電界によって受ける力を駆動力として、自身の有する電荷とは逆極性を有する電極側に泳動する現象である。
このような現象を利用した電気泳動表示装置（電気泳動ディスプレイＥＰＤ：Ｅｌｅｃｔｒｏｐｈｏｒｅｔｉｃ  Ｄｉｓｐｌａｙ）は、構成の簡便さ、広視野角、高コントラスト比、低電圧駆動、低消費電力、並びに表示画像保持性能（以下、メモリー性と称す）を備え、ＣＲＴ（Ｃａｔｈｏｄｅ  Ｒａｙ  Ｔｕｂｅ）ディスプレイや液晶ディスプレイでは実現困難な様々な特性を有するものとして注目されている。
【０００３】
この電気泳動ディスプレイは、一対の基板間に、本質的に正か負かのいずれかに帯電された帯電粒子と絶縁性を有する液体分散媒とからなる分散系が隔壁を介して封入されてなる構成をしており、それぞれの基板の内側にはそれぞれ電極が形成されている。ここで、この帯電粒子は、一対の基板間に電圧を印加することによって、自身が有する電荷とは逆極性を有する電極側に泳動するようになる。このとき、帯電粒子と、分散媒とを互いに異なる色に着色しておくことによって、表示を行うことができる。
【０００４】
つまり、帯電粒子が表示面となる一方の基板側に移動した場合には、帯電粒子自身の有する色が認識され、帯電粒子が他の基板側に移動した場合には、分散媒の色が認識されるようになる。
ここで、上記構成の電気泳動ディスプレイにおいて、電圧印加直後に回路を開放状態にすると、電極に電荷が保持されるため、この電極保持電荷のクーロン力で帯電粒子を吸着することができる。すなわち、電圧を印加しなくても、一定の静止画像を表示しつづけることが可能となる。
【０００５】
ところが、上記電気泳動ディスプレイにおいては、帯電粒子の凝集、分散媒との比重差による帯電粒子の沈降及び付着現象などによって、表示ムラが生じてしまうという不具合があった。
そこで、この問題を解決するために、帯電粒子と分散媒とからなる分散系を、複数のマイクロカプセルに内包するマイクロカプセル型電気泳動ディスプレイが公知となっている（下記の特許文献１等を参照）。
【特許文献１】特開２００１−３５６３７５号公報
【発明の開示】
【発明が解決しようとする課題】
【０００６】
しかしながら、上記マイクロカプセル型電気泳動ディスプレイにおいては、従来の電気泳動ディスプレイに比べてメモリー性が良好ではないという新たな不具合が発生した。
本発明者らは、その原因として、帯電粒子を内包する複数のマイクロカプセルと、この複数のマイクロカプセルの間に配置されるバインダーが、帯電粒子と同一の電荷であると、その反発力によってメモリー性が良好ではなくなるという点に着目し、本発明に至った。
【０００７】
本発明は、上記事情に鑑みてなされたものであり、帯電粒子を内包する複数のマイクロカプセルと、その複数のマイクロカプセル間に配置されるバインダーの形成材料を調整することで、メモリー性を向上させることを課題としている。
【課題を解決するための手段】
【０００８】
このような課題を解決するために、本発明に係る電気泳動装置の製造方法の一態様は、正に帯電する帯電粒子を内包させた、負に帯電する複数のマイクロカプセルと、前記帯電粒子の位置を制御するための電極と前記複数のマイクロカプセルの間に配置され、アクリル系樹脂から構成され、負に帯電するバインダーと、を備えてなる電気泳動装置の製造方法であって、ポリカチオン性材料であるゼラチンとポリアニオン性材料であるアラビアゴムとを混合した液体材料を用いて前記マイクロカプセルを形成する工程と、前記マイクロカプセルと、前記バインダー又は前記バインダーの前駆体との混合物を基板上に塗布する工程と、を含み、前記マイクロカプセルを形成する工程において、前記液体材料の水素イオン濃度をｐＨ３．０〜ｐＨ４．５の範囲内とし、前記ポリカチオン性材料とポリアニオン性材料とを、組成比Ｘ（＝ポリカチオン性材料／ポリアニオン性材料）が０．２５≦Ｘ＜１．００の範囲内となるように混合することを特徴とする。
【０００９】
前記帯電粒子は、酸化チタンとアルミニウム系カップリング材とを含むものであることが好ましい。
前記電気泳動装置は、前記電極が、対向した一対の電極であるものとすることができる。
前記電気泳動装置は、前記マイクロカプセルがドデシルベンゼンからなる分散媒を含むことができる。
【００１０】
前記電気泳動装置は、前記マイクロカプセルが前記帯電粒子とは異なる色に着色された分散媒を含むことができる。
本発明に係る電気泳動装置の一態様は、また、前記電気泳動装置の製造方法を用いて製造されたことを特徴とする。
本発明に係る電気泳動装置の製造方法の一態様を用いて製造された電気泳動装置は、マイクロカプセル及びバインダーと、帯電粒子とが異なる電荷を有するようになり、その間に反発力が生じなくなる。
本発明に係る電子機器の一態様は、また、前記電気泳動装置の製造方法を用いて製造された電気泳動装置を含む表示体と、前記表示体に駆動信号を供給する駆動回路と、を備えたことを特徴とする。
本発明に係る電子機器の他の態様は、また、前記駆動回路がマルチプレックス（単純マトリックス）方式で駆動されるものであることを特徴とするものであってもよい。
【００１１】
以上説明したように、本発明に係る電気泳動装置の製造方法の一態様においては、マイクロカプセルを形成する工程において、ポリカチオン性材料であるゼラチンとポリアニオン性材料であるアラビアゴムとを混合した液体材料の水素イオン濃度をｐＨ３．０〜ｐＨ４．５の範囲内とし、前記ポリカチオン性材料とポリアニオン性材料とを、組成比Ｘ（＝ポリカチオン性材料／ポリアニオン性材料）が０．２５≦Ｘ＜１．００の範囲内となるように混合することによって、マイクロカプセルと、帯電粒子とが異なる電荷を有するようになる。また、電極と前記複数のマイクロカプセルの間に配置されたバインダーがアクリル系樹脂からなるため、バインダーと帯電粒子とが異なる電荷を有するようになる。よって、これによれば、電気泳動装置のメモリー性を向上させることが可能となる。
【００１２】
本発明に係る電子機器の一態様においては、表示体として、本発明の方法で得られた電気泳動装置を備えたことによって、メモリー性を向上させることができるため、電圧を印加していない状態で長時間画像表示を行うことが可能となる。よって、電子機器を低消費電力で動作させることが可能となる。
また、メモリー性を向上させたことによって、実効的に回路の開放状態を維持できないようなマルチプレックス方式で駆動することも可能となるため、駆動回路にかかる製造工程及び製造コストを削減できるとともに、電子機器の小型化、薄型化を実現することが可能となる。
【発明を実施するための最良の形態】
【００１３】
以下、本発明の一実施形態を、図面を参照して説明する。
本実施形態においては、表示装置として好適な電気泳動装置の一例として、電気泳動パネルについて説明する。
図１は、本発明の電気泳動装置の一例として電気泳動パネルを示す断面図である。ここで、図１においては、電気泳動パネルの二画素分を示している。
【００１４】
電気泳動パネル（電気泳動装置）１０は、図１に示すように、透明基板１と、この透明基板１に対向配置される対向基板６との間に、帯電粒子４ａと分散媒４ｂとからなる分散系４を内包する構造体としてのマイクロカプセル３が、その複数の構造体間に配置される部材としてのバインダー５によって封入された構成をしており、透明基板１の内側（図１における下面側）には透明電極２が形成され、対向基板６の内側（図１における上面側）には対向電極７が形成されている。この電気泳動パネル１０は、透明基板１側が表示面となっており、帯電粒子４ａは、正極性に帯電させている。
【００１５】
透明基板１及び対向基板６は、ポリエチレンテレフタレート（ＰＥＴ）やポリエーテルサリフォン（ＰＥＳ）などの樹脂フィルム、或いはガラス、石英などの無機材料から形成される。ここで、少なくとも表示面側の透明基板１は、光透過性を有するものを用いるようにする。
透明電極２及び対向電極７は、いずれも、金属材料としてＡｌ、Ａｕ、Ｐｔ、Ａｇ、Ｎｉ、Ｔｉ、Ｃｒなどを用いることができ、少なくとも表示面側の透明電極２は、ＩＴＯ（Ｉｎｄｉｕｍ  Ｔｉｎ  Ｏｘｉｄｅ）、ＺｎＯ、ＳｎＯ2 などの金属酸化物透明材料を用いるようにする。
【００１６】
帯電粒子４ａは、絶縁性の分散媒４ｂ中で帯電しうる材料が用いられ、本質的に正か負かのいずれかに帯電させている。この帯電粒子４ａは、凝集や比重を下げるために界面活性剤または分散剤などを被覆する表面処理が施されているものが好ましい。また、その色は材料自身の色でも、着色材を添加したものでも、或いは、粒子表面に他の材料を積層、混合したものであってもよい。その形成材料として、例えば、材料自身の色を利用する酸化チタン（白色）や酸化アルミニウム（白色）、或いは着色剤を混合して利用するポリエチレン、ポリスチレン、アクリル樹脂などが挙げられる。ここで、着色剤としては、黒色を発色するカーボンや、公知の染顔料である、例えばフタロシアニンブルー、インダスレンブルー、ピーコオックブルー、パーマネントレッド、レーキレッド、ローダミンレーキ、ハンザイエロー、パーマネントイエロー、ベンジンイエローなどを利用することができる。
【００１７】
分散媒４ｂは、シリコーンオイル、オリーブオイルなどの油類、トルエン、キシレン、ベンゼンなどの芳香族炭水化物、ノルマルパラフィン、イソパラフィンなどの脂肪族炭水化物、ハロゲン化炭水化物、高純度石油など、帯電粒子４ａが良好且つ安定に帯電することができる絶縁性液体から形成される。この分散媒４ｂは、染料などの着色剤を溶解又は分散させることで着色されているとともに、イオン性界面活性剤が混合されている。
【００１８】
マイクロカプセル３は、等電点よりもずれた水素イオン濃度ｐＨ３〜ｐＨ４．５の範囲を有するポリカチオン性材料であるゼラチンＺ及びポリアニオン性材料であるアラビアゴムＡの混合物から構成されており、具体的には、このゼラチンＺとアラビアゴムＡの組成比Ｘ（＝Ｚ／Ａ）が、０．２５≦Ｘ＜１．００、或いは１．００≦Ｘ＜４．００の範囲で混合されている。ここで、マイクロカプセル３を確実に形成できるように、組成比Ｘの下限をＸ＝０．２５とし、上限をＸ＝４．００としている。なお、ポリアニオン性材料はこれに限らず、例えば、アルギン酸ナトリウム、カラギーナン、カルボキシメチルセルロース、寒天、ポリビニルベンゼンスルホン酸、ポリビニルメチルエーテル無水マレイン酸から選ばれた少なくとも一つの化合物を含むようにすればよい。
【００１９】
バインダー５は、アクリル酸、メタクリル酸、アクリル酸メチル、アクリル酸エチルなどのアクリル酸誘導体の重合によって作られるアクリル系樹脂から構成されている。
次に、上記構成の電気泳動パネル１０の製造方法について説明する。図３は、本発明の電気泳動パネルの製造工程のうち、マイクロカプセルの製造工程を示す説明図である。
まず、ポリエチレンテレフタレート（ＰＥＴ）からなる透明基板１及び対向基板６の一面に、ＩＴＯからなる透明性膜をスパッタリング法などを用いてそれぞれ成膜し、透明電極２及び対向電極７を形成しておく。
【００２０】
次いで、図３に示すように、帯電粒子４ａとなるチタニア粒子ＣＲ−９０（石原産業株式会社製）５０ｇ、チタネート系カップリング剤ＫＲ−ＴＴＳ（味の素株式会社製）２．３ｇ、アルミニウム系カップリング材ＡＬ−Ｍ（味の素株式会社製）１ｇ、分散媒４ｂとなるドデシルベンゼン（関東化学株式会社製）３００ｇを、５００ｍｌフラスコに取り、攪拌と超音波印加によりチタニア粒子を分散する（Ａ’）。そして、分散された分散液を１００ｇ分取し、この分散液にアントラキノン系青色染料（中央合成化学社製）１．８ｇを溶解し、白色を有する帯電粒子４ａと、青色に着色された分散媒４ｂとからなる分散系４を形成する（Ｂ’）。
【００２１】
次いで、５００ｍｌのビーカーに、アラビアゴム粉末Ａ（関東化学株式会社製）を２．２ｇ≦Ａ＜５．５ｇ、或いは５．５ｇ＜Ａ≦８．８ｇの範囲と、ゼラチン粉末Ｚ（関東化学株式会社製）を２．２ｇ≦Ｚ＜５．５ｇ、或いは５．５ｇ＜Ｚ≦８．８ｇの範囲とで、合わせて１１．０ｇとなるように量り取り、水６０ｇに溶解する（Ａ）。
次いで、この溶解液を、回転速度２５０ｒｐｍで攪拌しながら、さらにこの溶解液内にチタニア分散液を滴下する（Ｂ）。滴下後、回転速度を１３００ｒｐｍに上げ、さらに１時間の攪拌を行う。
【００２２】
次いで、１時間の攪拌後、回転速度を５００ｒｐｍに落とし、溶解液内に温水３００ｍｌを添加する（Ｃ）。そして、同様の回転速度によって、さらに３０分の攪拌を行う。
次いで、３０分の攪拌後、 溶解液内に１０％酢酸溶液１１ｍｌを滴下する（Ｄ）。そして、溶解液全体を０℃に冷却しながら、回転速度５００ｒｐｍで２時間攪拌を続行する（Ｅ）。
【００２３】
次いで、２時間の攪拌後、溶解液内にホルマリン溶液（関東化学株式会社製）を２．７ｍｌ添加する（Ｆ）。さらに、この溶解液内に１０％炭酸ナトリウム溶液２２ｍｌを滴下する（Ｇ）。
次いで、この溶解液全体を室温に戻し（Ｈ）、攪拌を一夜続行することで、ゼラチンＺとアラビアゴムＡからなる被膜に、帯電粒子４ａであるチタニア粒子と分散媒４ｂであるドデシルベンゼンとからなる分散系４を内包した状態でマイクロカプセル３が作成される（Ｉ）。
【００２４】
ここで、上記構成で形成されたマイクロカプセル３のうち、大きな粒子のマイクロカプセル３はふるいなどで除去し、小さな粒子のマイクロカプセル３は分液ロートなどを用いて除去することで、マイクロカプセル３の粒径を４０〜６０μmにそろえる。
次いで、マイクロカプセル３の分散した溶解液をブフナーロートなどにより、 マイクロカプセル３を濃縮し、溶解液内に６０％のマイクロカプセル３が含有されている状態とする。
【００２５】
次いで、このマイクロカプセル３の分散した溶解液と、エマルジョン状態のアクリル系バインダーＥ２７２（三井東圧株式会社製）５とを、乾燥後の最終重量比が５：１となるように混合する。ここで、アクリル系バインダー５は、これに限らず、Ｅ２０８、Ｅ２６４、Ｅ２７１（いずれも三井東圧株式会社製）を使用しても構わない。
次いで、アクリル系バインダー５と混合したマイクロカプセル３を、コータなどを用いて、予め対向電極７としてＩＴＯが形成されている対向基板６に１５０・高フ膜厚となるように塗布し、９０℃で２０分間乾燥を行う。ここで、対向電極７の上面に一層のマイクロカプセル３が形成される。
【００２６】
次いで、このマイクロカプセル３が上面に形成された対向基板６のさらに上面に、予め透明電極２としてＩＴＯが形成されている透明基板１を重ねて張り合わせることによって、透明基板１と対向基板６との間に一層のマイクロカプセル３を封入してなる構成を有する電気泳動パネル１０を完成させる。
さらに、上記電気泳動パネル１０における透明電極２と対向基板７とに配線を介して駆動回路２０を接続させることで、表示体として電気泳動パネル１０を備えた電気泳動ディスプレイ（表示装置）１００を形成することができる。
【００２７】
このような電気泳動ディスプレイ１００の一駆動例について、図２を参照して説明する。図２は、本発明の電気泳動ディスプレイの一駆動例を示す説明図である。ここで、図２の電気泳動パネル１０においては、一画素分を示している。
電気泳動ディスプレイ１００は、図２（Ａ）に示すように、透明電極２及び対向電極７に電圧を印加していない状態の時は、マイクロカプセル３に内包された帯電粒子４ａは重力に従って、図中下方に位置した状態にある。つまり、表示面となる透明基板１側には、分散媒４ｂが認識されるため、表示面には分散媒４ｂの色である青色が表示されている。
【００２８】
この状態から、図２（Ｂ）に示すように駆動回路２０を接続し、透明電極２に負電荷、 対向電極７に正電荷を誘導すると、正極性に帯電した帯電粒子４ａは負電荷に誘導された透明電極２側に泳動する。つまり、表示面となる透明基板１側には、帯電粒子４ａが認識されるため、表示面には帯電粒子４ａの色である白色が表示されるようになる。
この状態から、図２（Ｃ）に示すように、駆動回路２０を開放状態に切り替えると、透明電極１上には電荷が保持されるため、この電極保持電荷のクーロン力で帯電粒子４ａは、 透明電極２側に吸着された状態となる。つまり、一切エネルギーを供給していない状態で、表示面となる透明電極２側に帯電粒子４ａが吸着した状態を保持し、表示面には帯電粒子４ａの色である白色が表示され続けるようになる。
【００２９】
そして、この状態から、図２（Ｄ）に示すように、透明電極２に正電荷、対向電極７に負電荷を誘導するように駆動回路２０を接続すると、帯電粒子４ａは、透明電極２における保持電荷のクーロン力の束縛から開放され、対向電極７側に泳動する。つまり、表示面となる透明基板１側には、分散媒４ｂが認識されるため、表示面には分散媒４ｂの色である青色が表示されるようになる。
【００３０】
上記構成の電気泳動ディスプレイ１００において、帯電粒子４ａ及び分散媒４ｂとからなる分散系４を内包しているマイクロカプセル３を、等電点よりもずれた水素イオン濃度ｐＨ 3． 0〜ｐＨ４．５を有するゼラチンＺとアラビアゴムＡとの混合物、具体的には、組成比Ｘ（＝Ｚ／Ａ）が、０．２５≦Ｘ＜１．００、或いは、１．００＜Ｘ≦４．００の範囲で混合されたゼラチンＺとアラビアゴムＡとで形成したことによって、マイクロカプセル３及びバインダー５の電荷と帯電粒子４ａの電荷とが異なるようになるため、印加電圧をゼロとした場合に、マイクロカプセル３及びバインダー５と、帯電粒子４ａとの間に反発力が生じなくなる。
よって、最後に到達した定着面に帯電粒子４ａを保持する能力を向上させることができるため、メモリー性を大幅に向上させることが可能となる。すなわち、この電気泳動ディスプレイ１０をカードなど書き換えの少ない表示装置として適用すると、低消費電力で動作させることが可能となる。
【００３１】
また、メモリー性を向上させたことによって、実効的には回路の開放状態を維持できないようなマルチプレックス方式で駆動することが可能となるため、駆動回路を形成する製造工程及び製造コストを削減することが可能となる。
ここで、本実施形態においては、 帯電粒子４ａを内包する構造体が、マイクロカプセル型の電気泳動パネル１０について説明したが、これに限らず、構造体が、一対の基板間に垂直方向に形成される隔壁型の電気泳動パネル１０に適用することも可能である。
【００３２】
このとき、帯電粒子４ａは、一対の基板と、これらの基板間に配置される隔壁とによって形成された空間に封入されており、少なくともこの帯電粒子４ａの流動方向に、上述のバインダーなどの部材を介して配置されるポリカチオン性材料とポリアニオン性材料との混合物からなる構造体を形成するようにする。
例えば、一対の基板の積層方向に帯電粒子４ａが流動する場合、その一対の基板の内側に形成されたそれぞれの電極の内側に部材を介して構造体を形成するようにする。また、一対の基板の積層方向とは垂直な方向に帯電粒子４ａが流動する場合、その隔壁を、部材が挟層された二層の構造体で構成するようにする。
【００３３】
なお、本実施形態において、本発明の電気泳動パネル１０を備えた電子機器として、電気泳動ディスプレイ１００について説明したが、これに限らず、その他の電子機器に適用することが可能である。
ここで、電子機器として、モバイル型のパーソナルコンピュータ、携帯電話、ディジタルスチルカメラ、電子ブック、電子ペーパー、電子ノート、ディスプレイに適用した例として、図４〜図１０を参照して説明する。
【００３４】
図４は、パーソナルコンピュータの構成を示す斜視図である。
パーソナルコンピュータ２００は、キーボード２０１を備えた本体部２０２と、表示ユニット２０３と、を備えている。ここで、このパーソナルコンピュータ２００にあっては、表示ユニット２０３が、前述の電気泳動パネル１０から構成されている。
図５は、携帯電話の構成を示す斜視図である。
携帯電話３００は、複数の操作ボタン３０１と、受話口３０２と、送話口３０３と、表示パネル３０４と、を備えている。ここで、この携帯電話３００にあっては、表示パネル３０４が、前述の電気泳動パネル１０から構成されている。
【００３５】
図６は、ディジタルスチルカメラの構成を示す斜視図である。なお、外部機器との接続についても簡易的に示している。
ディジタルスチルカメラ４００は、ケース４０１と、ケース４０１の背面に形成され、ＣＣＤ（Ｃｈａｒｇｅ  Ｃｏｕｐｌｅｄ  Ｄｅｖｉｃｅ）による撮像信号に基づいて、表示を行うようになっている表示パネル４０２と、ケース４０１の観察側（図においては裏面側）に形成される光学レンズやＣＣＤ等を含んだ受光ユニット４０３と、シャッタボタン４０４と、このシャッタボタン４０４を押した時点におけるＣＣＤの撮像信号が、転送・格納される回路基板４０５と、を備えている。ここで、このディジタルスチルカメラ４００にあっては、表示パネル４０２が、前述の電気泳動パネル１０から構成されている。
【００３６】
また、ディジタルスチルカメラ４００におけるケース４０１の側面には、ビデオ信号出力端子４０６と、データ通信用の入出力端子４０７とが設けられており、前者にはテレビモニタ４０６Ａが、後者にはパーソナルコンピュータ４０７Ａが、それぞれ必要に応じて接続されている。そして、所定の操作によって、回路基板４０５のメモリに格納された撮像信号が、テレビモニタ４０６Ａや、パーソナルコンピュータ４０７Ａに出力される構成となっている。
【００３７】
図７は、電子ブックの構成を示す斜視図である。
電子ブック５００は、ブック形状のフレーム５０１と、このフレーム５０１に開閉可能なカバー５０２とからなり、フレーム５０１の表面には表示面を露出させた状態の表示装置５０３と、操作部５０４と、を備えている。ここで、この電子ブック５００にあっては、表示装置５０３が前述の電気泳動パネル１０から構成されている。
【００３８】
図８は、電子ペーパーの構成を示す斜視図である。
電子ペーパー６００は、紙と同様の質感及び柔軟性を有するリライタブルシートからなる本体６０１と、表示ユニット６０２と、を備えている。ここで、この電子ペーパー６００にあっては、表示ユニット６０２が前述の電気泳動パネル１０から構成されている。
【００３９】
図９は、図８における電子ペーパーを適用した電子ノートの構成を示す斜視図である。
電子ノート７００は、カバー７０１と、このカバー７０１に挟まれた複数枚束ねられた電子ペーパー６００と、を備えており、カバー７０１に表示データ入力手段を備えることにより、電子ペーパー６００が束ねられた状態でその表示内容を変更することができる。ここで、この電子ノート７００にあっては、電子ペーパー６００が前述の電気泳動パネル１０から構成されている。
【００４０】
図１０は、図８における電子ペーパーを適用したディスプレイ８００の構成を示し、（ａ）は断面図、（ｂ）は平面図である。
ディスプレイ８００は、二組の搬送ローラ対８０２ａ、８０２ｂが備えられた本体部８０１と、この搬送ローラ対８０２ａ、８０２ｂに挟持された状態で本体部８０１に設置される電子ペーパー６００と、本体部８０１の表示面側（図１０（ａ）における上面側）に設けられた矩形孔８０３に嵌めこまれた透明ガラス板８０４と、本体部８０１の一端に設けられ、電子ペーパー６００を本体部８０１に着脱自在に挿入する挿入口８０５と、電子ペーパー６００の挿入方向先端部に設けられる端子部８０６にソケット８０７を介して接続可能なコントローラー８０８と、操作部８０９と、を備えている。ここで、このディスプレイ８００にあっては、電子ペーパー６００が前述の電気泳動パネル１０から構成されている。
【００４１】
このディスプレイ８００は、本体部８０１に設置した電子ペーパー６００を、透明ガラス板８０４において視認させることで表示面を構成している。また、この電子ペーパー６００は本体部８０１に着脱自在に設置されており、本体部８０１から外した状態で携帯して使用することもできる。
なお、電子機器としては、これに限らず、テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等を挙げることができ、上記電子機器の表示部として、前述した電気泳動ディスプレイ１００を適用することが可能である。
【００４２】
次に、本発明における電気泳動ディスプレイ１００のマイクロカプセル３を構成するゼラチンＺとアラビアゴムＡとの組成比Ｘ（＝Ｚ／Ａ）と、バインダーと、帯電粒子４ａの保持力（メモリー性）と、の関係を示した結果を表１に示す。なお、表１におけるバインダー１はいずれもエマルジョン系のものを使用し、シリコン系バインダーとしては、ＰＯＬＯＮ−ＭＦ−４０（信越化学工業株式会社製）を用いた。また、ウレタン系バインダーとしては、ＷＬ−５０１ＦＸ、或いはＷＬ−５０２（いずれも日本ポリウレタン工業株式会社製）を用いた。さらに、ＳＢＲ（スチレン・ブタジエンゴム）系バインダーとしては、ダイアボンド１５０（ノガワケミカル社製）を用いた。
【００４３】
【表１】
0004582236.tif 000002
【００４４】
表１から分かるように、バインダー５としてシリコン系、ウレタン系、ＳＢＲ（スチレン・ブタジエンゴム系を用いた場合には、ゼラチンＺとアラビアゴムＡとの組成比Ｘ（＝Ｚ／Ａ）をいずれのものとしても、メモリー性が見られなかった。一方、バインダー５としてアクリル系バインダーを用いた場合には、組成比がＸ＝１．００の場合を除いて良好なメモリー性を確認することができた。
【００４５】
ここで、組成比がＸ＝１．００の場合には、メモリー性は１０分ほどしか見られなかった。また、組成比がＸ＝４．００、１．８６、１．２２、０．８２、０．５４、０．２５の場合には、いずれも６ヶ月経過後も依然としてメモリー性を維持している。
【図面の簡単な説明】
【００４６】
【図１】本発明の電気泳動パネルを示す断面図である。
【図２】本発明の電気泳動ディスプレイの一駆動例を示す説明図である。
【図３】本発明の電気泳動パネルの製造工程のうち、マイクロカプセルの製造工程を示す説明図である。
【図４】モバイル型パーソナルコンピュータの構成を示す斜視図である。
【図５】携帯電話の構成を示す斜視図である。
【図６】ディジタルスチルカメラの構成を示す斜視図である。
【図７】電子ブックの構成を示す斜視図である。
【図８】電子ペーパーの構成を示す斜視図である。
【図９】図８における電子ペーパーを適用した電子ノートの構成を示す斜視図である。
【図１０】図８における電子ペーパーを適用したディスプレイの構成を示し、（ａ）は断面図、（ｂ）は平面図である。
【符号の説明】
【００４７】
１  透明基板、２  透明電極、３  マイクロカプセル、４  分散系、４ａ  帯電粒子、４ｂ  分散媒、５  バインダー、６  対向基板、７  対向電極、１０  電気泳動パネル（電気泳動装置）、２０  駆動回路、１００  電気泳動ディスプレイ（電子機器）、２００  パーソナルコンピュータ（電子機器）、２０１  キーボード、２０２  本体部、２０３  表示ユニット、３００  携帯電話（電子機器）、３０１  操作ボタン、３０２  受話口、３０３  送話口、３０４  表示パネル、４００  ディジタルスチルカメラ（電子機器）、４０１  ケース、４０２  表示パネル、４０３  受光ユニット、４０４  シャッタボタン、４０５  回路基板、４０６  ビデオ信号出力端子、４０６Ａ  テレビモニタ、４０７  データ通信用の入出力端子、４０７Ａ  パーソナルコンピュータ、５００  電子ブック (電子機器）、５０１  フレーム、５０２  カバー
【図１】
0004582236.tif 000003
【図２】
0004582236.tif 000004
【図３】
0004582236.tif 000005
【図４】
0004582236.tif 000006
【図５】
0004582236.tif 000007
【図６】
0004582236.tif 000008
【図７】
0004582236.tif 000009
【図８】
0004582236.tif 000010
【図９】
0004582236.tif 000011
【図１０】
0004582236.tif 000012